(57)【要約】【課題】収納スペースを広く必要としないで、かつ軽負荷でシート束に打ち込むことができるようにする。【解決手段】ステープル針１０１は、分離可能に複数接続された状態からステープラによって分離されてシート束を綴じるようになっている。ステープル針１０１は、シート束を押さえる押さえ部１０１ａと、押さえ部１０１ａから延びて折り曲げられて設けられた、シート束を貫通する１対の貫通部１０１ｂとを備えている。１対の貫通部１０１ｂが、使用前において、押さえ部１０１ａから貫通部１０１ｂの先端に行くに従って間隔が広くなる末広がり状になっている。【選択図】図１
2008281115.tif 000002
【特許請求の範囲】
【請求項１】
分離可能に複数接続された状態からステープラによって分離されてシート束を綴じる、
前記シート束を押さえる押さえ部と、
前記押さえ部から延びて折り曲げられて設けられた、前記シート束を貫通する１対の貫通部と、を備えたステープル針において、
前記１対の貫通部が、使用前において、前記押さえ部から前記貫通部の先端に行くに従って間隔が広くなる末広がり状になっている、
ことを特徴とするステープル針。
【請求項２】
ステープル針を収納する収納部と、
前記ステープル針を折り曲げるためのクリンチ部と、
前記収納部から前記ステープル針を打ち出して、被綴じ部材に該ステープル針を貫通させ、前記クリンチ部と協働して該ステープル針を折り曲げて前記被綴じ部材を綴じる打ち出し部と、を備えたステープラにおいて、
前記打ち出し部によって前記収納部から打ち出された前記ステープル針を前記被綴じ部材に案内する案内部を備え、
前記案内部は、前記ステープル針の先端を受け入れる入口から、前記入口より狭く形成されて前記ステープル針が前記打ち出し部に押されて前記被綴じ部材側に抜けて出る出口に、前記ステープル針を案内する案内面を備えた、
ことを特徴とするステープラ。
【請求項３】
前記ステープル針が、被綴じ部材を押さえる押さえ部と、
前記押さえ部から延びて折り曲げられて設けられた、前記被綴じ部材を貫通する１対の貫通部と、を備えており、
前記１対の貫通部が、使用前において、前記押さえ部から前記貫通部の先端に行くに従って間隔が広くなる末広がり状のステープル針である、
ことを特徴とする請求項２に記載のステープラ。
【請求項４】
前記ステープル針の押さえ部と貫通部とに係合して、該ステープル針を前記打ち出し部に送る送り部材を前記収納部に備えた、
ことを特徴とする請求項３に記載のステープラ。
【請求項５】
被綴じ部材を押さえる押さえ部と、前記押さえ部から延びて折り曲げられて設けられた、前記被綴じ部材を貫通する１対の貫通部とを備えたステープル針を収納する収納部と、
前記ステープル針を折り曲げるためのクリンチ部と、
前記収納部から前記ステープル針を打ち出して、前記被綴じ部材に該ステープル針を貫通させ、前記クリンチ部と協働して該ステープル針を折り曲げて前記被綴じ部材を綴じる打ち出し部と、
前記打ち出し部によって前記収納部から打ち出された前記ステープル針を前記被綴じ部材に案内する案内部と、を備えたステープラに使用されるステープル針であって、
前記ステープル針の前記１対の貫通部は、使用前において、前記押さえ部から前記貫通部の先端に行くに従って間隔が広くなる末広がり状になっており、前記貫通部の間隔が前記案内部によって狭くなるように案内されて、前記ステープル針が前記被綴じ部材に貫通する、
ことを特徴とするステープル針。
【請求項６】
前記ステープラの案内部は、前記ステープル針の先端を受け入れる入口から、前記入口より狭く形成されて前記ステープル針が前記打ち出し部に押されて前記被綴じ部材側に抜けて出る出口に、前記ステープル針を案内する案内面を備えている、
ことを特徴とする請求項５記載のステープル針。
【請求項７】
前記ステープラが、前記ステープル針の押さえ部と貫通部とに係合して、該ステープル針を前記打ち出し部に送る送り部材を前記収納部に備え、
前記送り部材によって、前記打ち出し部に送られる、
ことを特徴とする請求項５または６に記載のステープル針。
【発明の詳細な説明】
【技術分野】
【０００１】
本発明は、被綴じ部材を綴じるのに使用されるステープル針、特に、重ねることのできるステープル針と、このステープル針で被綴じ部材を綴じるステープラとに関する。
【背景技術】
【０００２】
従来、ステープル針（以下、単に「針」と言う）には、図１０に示すコの字の針（以下、「コ字状針」と言う）２０１と、図１１に示す真っ直ぐに形成されて被綴じ部材を綴じるときコの字状に折り曲げられる針（以下、「スラール針」と言う）３０１とがある。被綴じ部材には、例えば、シート束、ダンボール束、複数枚重ねられた布等がある。
【０００３】
コ字状針を使用するステープラは（特許文献１）、一般に、手動で被綴じ部材に針を打ち込むようになっている。この種のステープラには、例えば、ユーザが片手で持ち、握ることによって被綴じ部材を綴じるものがある。このステープラは、片手で握れる大きさにするため、針の収納本数が５０本乃至１００本程度である。また、このステープラは、コ字状針を使用しているため、後述するスラール針を使用するステープラと異なって、スラール針をコの字状に折り曲げてから被綴じ部材を綴じる必要が無く、握力の弱い人でも被綴じ部材を容易に綴じることができるようになっている。
【０００４】
一方、スラール針を使用するステープラは（特許文献２）、スラール針をコの字状に折り曲げてから被綴じ部材を綴じるため、コ字状針を使用するステープラよりも綴じるときの負荷が大きく、殆どが電動式である。また、スラール針は、使用される前、図１１に示すように、接続されてシート状に形成され、重ねて収納されたり、ロール状に巻かれて収納されたりしている。このため、スラール針を使用するステープラには、針を少なくとも５０００本、収納することができるものがある。
【０００５】
【特許文献１】特開２００５−１９３３１６号公報
【特許文献２】特開２００１−１７９６５４号公報
【発明の開示】
【発明が解決しようとする課題】
【０００６】
以上、説明したコ字状針は、ブロック化（図１０）されて、例えば、箱に収納される場合、重ねて収納すると広い収納スペースを必要として箱が大きくなる。このため、図１０（ｂ）に示すように、コ字状針２０１は、コの字の開口部を向き合わせて針の先端を互いに入り込ませた状態で収納されることが多い。しかし、コ字状針２０１は、入り組ませたときの空間Ａを必要として、収納スペースを広く必要としていた。
【０００７】
このように、コ字状針を使用するステープラは、握力の弱い人でも被綴じ部材を容易に綴じることができるという利点があるが、収納スペースを必要とし、限られたスペースに収納されるとき収納本数が少ないという問題がある。
【０００８】
また、スラール針３０１を使用するステープラは、針の収納本数が多いという利点があるが、電動式であることが多いので、構造が複雑であるという問題がある。
【０００９】
本発明は、収納スペースを広く必要としないで、かつ軽負荷でシート束に打ち込むことができるステープル針を提供することにある。
【００１０】
本発明は、簡単な構造で、ステープル針を打ち込むときの負荷が軽く、かつステープル針を多数収納することのできるステープラを提供することにある。
【課題を解決するための手段】
【００１１】
本発明のステープル針は、分離可能に複数接続された状態からステープラによって分離されてシート束を綴じる、前記シート束を押さえる押さえ部と、前記押さえ部から延びて折り曲げられて設けられた、前記シート束を貫通する１対の貫通部とを備え、前記１対の貫通部が、使用前において、前記押さえ部から前記貫通部の先端に行くに従って間隔が広くなる末広がり状になっている、ことを特徴としている。
【００１２】
本発明のステープラは、ステープル針を収納する収納部と、前記ステープル針を折り曲げるためのクリンチ部と、前記収納部から前記ステープル針を打ち出して、被綴じ部材に該ステープル針を貫通させ、前記クリンチ部と協働して該ステープル針を折り曲げて前記被綴じ部材を綴じる打ち出し部と、を備えており、さらに、前記打ち出し部によって前記収納部から打ち出された前記ステープル針を前記被綴じ部材に案内する案内部を備え、前記案内部は、前記ステープル針の先端を受け入れる入口から、前記入口より狭く形成されて前記ステープル針が前記打ち出し部に押されて前記被綴じ部材側に抜けて出る出口に、前記ステープル針を案内する案内面を備えた、ことを特徴としている。
【発明の効果】
【００１３】
本発明のステープル針は、末広がり状に形成されているので、箱に入れて収納するとき、或いはステープラに収納されるとき、重ねることができて、コ字状針よりも収納効率を高めることができる。
【００１４】
本発明のステープラは、案内部の入口から出口の間に、ステープル針を案内する案内面を備えて、予め、末広がり状に折り曲げられたステープル針を使用することができるようになっている。
【００１５】
このため、本発明のステープラは、真っ直ぐな針をコの字状に折り曲げてから被綴じ部材を綴じるステープラよりも、ステープル針が予め折り曲げられている分だけステープル針を打ち込むときの負荷が軽くなり、構造を簡単にすることができる。
【００１６】
また、本発明のステープラは、重ねて収納できる、末広がり状に折り曲げられたステープル針を使用するため、コの字状のステープル針を使用するステープラよりも、ステープル針を多く収納することができて、針の補充回数を少なくすることができる。
【発明を実施するための最良の形態】
【００１７】
以下、本発明の実施形態のステープル針と、この針で被綴じ部材を綴じるステープラとを図に基づいて説明する。
【００１８】
（ステープル針）
図１は、本発明の実施形態のステープル針を接続してブロック化し、そのブロック化されたステープル針を重ねたときの斜視図である。図１（ａ）は、ブロック化されたステープル針を重ねたときの全体図である。図１（ｂ）は、ブロック化されたステープル針を重ねたときの部分拡大図である。図２は、シート束を綴じるときの、ステープル針の折り曲げ順序を説明するための図である。
【００１９】
ステープル針（以下、単に「針」と言う）１０１は、分離可能に複数接続されてブロック化されており、ステープラに装着されて使用されるとき、１本ずつに分離されてから、コ字状に折り曲げられてシート束を綴じるようになっている。
【００２０】
針１０１は、シート束を押さえる押さえ部１０１ａと、押さえ部１０１ａの両端から延びて折り曲げられて形成されて、シート束を貫通する１対の貫通部１０１ｂとを備えている。そして、針１０１は、使用前において、押さえ部１０１ａから貫通部１０１ｂの先端１０１ｃに行くに従って貫通部１０１ｂの間隔が広くなる末広がり状になっている。したがって、針１０１は、使用前において、台形状に形成されている。貫通部１０１ｂの先端部は、シート束を貫通したとき互いに向き合うように、折り曲げられる折り曲げ部１０１ｄになっている。
【００２１】
針１０１は、ステープラによってシート束を綴じるとき、ブロック化された状態から１本に分離されて（図２（ａ））、貫通部１０１ｂを押さえ部１０１ａに対して直角に折り曲げられ（図２（ｂ））、全体的にコ字状に形成される。そして、針１０１は、貫通部１０１ｂがシート束を貫通した後、折り曲げ部１０１ｄを互いに向き合うように折り曲げられて、シート束Ｐがばらばらにならないようにする。なお、綴じるシート束Ｐの厚みが薄い場合には、貫通部１０１ｂ全体が折り曲げ部１０１ｄとなる場合がある。また、貫通部１０１ｂは、シート束を貫通する部分であるので、先端１０１ｃと折り曲げ部１０１ｄとを含んだ部分である。
【００２２】
針１０１の開き角度αは、直角に近いほど、ステープラが針をコ字状に折り曲げるときの負荷を小さくすることができる。しかし、そのような針は、ブロック化されて重ねられたとき、間隔Ｇ（図１）が広くなり、収納スペースを広く必要とする。逆に、開き角度αを１８０度に近づけた針１０１は、ブロック化されて重ねられたとき間隔Ｇを狭くして、収納スペースを狭くすることができる。しかし、そのような針は使用されるとき、ステープラがコ字状に折り曲げる負荷が大きくなる。また、針を折り曲げるストロークが長くなり、ステープラの綴じ動作時間が長くなり、ステープラの綴じ効率が悪くなる。
【００２３】
そこで、種々の開き角度の針でシート束を綴じる実験を行った結果、針の収納スペース、ステープラの負荷、及び綴じ効率の妥協点としての針の開き角度αは、１００度から１５０度の間に設定するのが好ましいと分かった。
【００２４】
針１０１は、末広がり状に形成されているので、箱やステープラに収納されるとき、図１に示すように重ねることができて、図１０に示すコの字状のステープル針２０１よりも収納効率を高めることができる。しかも、針の開き角度を１００度から１５０度の間に設定してあるので、ステープラがシート束を綴じるときの負荷の増大を防止して、綴じ効率を損なうことなく、針の収納効率を高めることができる。
【００２５】
また、針１０１は、末広がり状に形成されているので、図１１に示すシート状のスラール針３０１より変形しにくく、ステープラに装着されたとき詰まることが少なく、ステープラの綴じ動作に支障を与えることが少ない。
【００２６】
さらに、針１０１は、図１１に示すシート状のスラール針より変形しにくいことによって、変形しないように気を配りながら取り扱う必要がなく、取り扱いが容易である。
【００２７】
（ステープラ）
次に、図３乃至図９に基づいて、本発明の実施形態のステープラを説明する。
【００２８】
ところで、図１、図２に示す針は、シート束を綴じることを想定して説明した。しかし、図１、図２に示す針は、針の末広がり状の形状を変えることなく、押さえ部、貫通部、折り曲げ部の長さの比率や、針の太さ等を変更することによって、シート束のみならず、ダンボール束、複数枚重ねられた布等の被綴じ部材を綴じることができる。したがって、本ステープラは、綴じる被綴じ部材の種類にあった針を使用して、種々の被綴じ部材を綴じるようになっている。
【００２９】
（ステープラの構造）
ステープラ９０のフレーム９１には、モータ８が設けられている。モータ８は、フレーム９１に回転自在に配列された歯車列１２を介してカム１１を回転させるようになっている。カム１１は、軸２１によってフレーム９１に回転自在に支持されている。図４において、カム１１の外周には、歯車列１２の最後の歯車２２が形成されている。また、カム１１には、１８０度の間隔をおいて、ドライバピン２３と押さえピン２４とが突設されている。
【００３０】
図３、図４において、フレーム９１には、アーム支持軸２６が設けられている。アーム支持軸２６には、押さえアーム３とドライバアーム４とがアーム支持軸２６に対して直交する方向に回転自在に設けられている。
【００３１】
押さえアーム３には、アーム支持軸２６が貫通する支持孔３１と、カム１１の押さえピン２４が係合する押さえカム孔３２が形成されている。押さえアーム３の外周には、後述する押さえロック板２が当接する被当接部３３が形成されている。また、押さえアーム３には、後述するシート押さえリンク１とクリンチャリンク１０とに係合するリンクピン３４が突設されている。押さえカム孔３２とリンクピン３４は、支持孔３１を間にして両側に形成されている。
【００３２】
ドライバアーム４には、アーム支持軸２６が貫通する支持孔４１と、カム１１のドライバピン２３が係合するドライバカム孔４２とが形成されている。ドライバアーム４の回動端部には、ドライバ支持板４３の孔４３ａに傾動自在に係合している。ドライバ支持板４３には、ドライバ５が設けられている。ドライバ支持板４３は、フレーム９１に形成した縦スリット４４に挿入されており、ドライバアーム４の回動と、縦スリット４４との案内によって、ドライバ５と一体に直線的に昇降するようになっている。
【００３３】
ステープラ９０のフレーム９１には、リンク軸４５が設けられている。リンク軸４５には、シート押さえリンク１と、クリンチャリンク１０とがリンク軸４５に対して直交する方向に回転自在に設けられている。
【００３４】
シート押さえリンク１には、リンク軸４５が貫通する支持孔４６と、リンクピン３４が当接するピン当接部４７とが形成されている。シート押さえリンク１の外周には、押さえロック板２が摺動するテーパ部４８が形成されている。
【００３５】
ステープラ９０のフレーム９１には、略水平な横スリット５１（図３）が形成されている。横スリット５１には、押さえロック板２が摺動自在に設けられている。ステープラ９０のフレーム９１に突設したピン５２（図３）が突設されている。ピン５２と押さえロック板２とには、引張ばね１３が掛け渡してある。
【００３６】
クリンチャリンク１０には、リンク軸４５が貫通する支持孔５３と、押さえアーム３上のリンクピン３４が貫通する円弧状の長孔５４とが形成されている。クリンチャリンク１０の回動端には、複数枚の板ばね５５が重ねて設けられている。板ばね５５の先端には、クリンチャ５６が設けられている。クリンチ部である例えばクリンチャ５６は、打ち出し部である例えばドライバ５と協働して針１０１（図２）の折り曲げ部１０１ｄを折り曲げるようになっている。
【００３７】
ステープラ９０のフレーム９１には、針供給部６１が設けられている。
【００３８】
図５に示す針供給部６１の針を収納する収納部である例えば針ホルダ６２には、図１に示すように先端１０１ｃを上向きにした針１０１がブロック状にして重ねられた状態で収納されている。なお、以下の説明において、多数の針１０１が分離可能に接続されてブロック状になっている針をブロック針と言う。ブロック針を総称した符号を１０２とする。
【００３９】
ブロック針１０２は、針ホルダ６２の蓋６３を開いて、針ホルダ６２に挿入されて収納されるようになっている。針ホルダ６２に重ねて収納された複数のブロック針１０２は、最下位のブロック針１０２Ａが使用されて無くなる直前に、その上のブロック針１０２が針ホルダ６２の底部６２ａに落ち着くように、常時、圧縮ばね６４によって、底部６２ａの方に押圧されている。
【００４０】
針ホルダ６２の蓋６３とは反対側には、後述する規制板７３が設けられ、さらに、針１０１が通過する通過部６５と、針１０１が排出される排出部６６とが形成され、そして、針１０１を受け止める受け止め板６７が設けられている。通過部６５と、排出部６６は、図５（ｂ）を左側から見ると、針１０１と略同じ形状に形成された隙間である。受け止め板６７と針ホルダ６２の先端壁６２ｂとの間は、１本の針１０１が通過できるだけの案内隙間６８が形成されている。
【００４１】
針ホルダ６２の底部６２ａには、最下位のブロック針１０２Ａを受け止め板６７側に送る針送りローラ６９が設けられている。針送りローラ６９が最下位のブロック針１０２Ａを受け止め板６７側へ送ると、最下位のブロック針１０２Ａより上位のブロック針が最下位のブロック針１０２Ａに追従して移動するおそれがある。そこで、規制板７３が、上位のブロック針１０２を受け止めて、上位のブロック針の追従移動を規制するようになっている。
【００４２】
さらに、底部６２ａには、針を送る送り部材７０を、針を送り出す方向（矢印Ｂ方向）と、その逆方向（矢印Ｃ方向）とに往復移動自在に案内するスリット７４が形成されている。送り部材７０は、針の送り出し方向側から見ると図５（ａ）に示すように略Ｕ字状に形成され、針の送り出し方向Ｂに沿った側から見ると図５（ｂ）に示すように逆Ｌ字状に形成されている。送り部材７０は、スリット７４から抜け落ちるのを防止する抜け止め突部７５を有している。
【００４３】
また、送り部材７０のブロック針１０２に接触する部分の３箇所には、送り爪７０ａ，７０ｂ，７０ｃが形成されている。送り爪７０ａ，７０ｂ，７０ｃは、送り部材７０が針を送り出す方向Ｂに移動するとき、針と針との間に係合して針を送り出すが、送り部材７０が逆方向Ｃに移動するときには、針と針との間には係合しないように、傾斜した弾性片である。
【００４４】
ところで、送り爪７０ａ、７０ｂは針の１対の先端１０１ｃ（貫通部１０１ｂ）に両側から係合し、送り爪７０ｃは針の押さえ部１０１ａに係合するようになっている。このように、送り部材は、針を図５（ａ）に示す向きから見たとき、針の左右対称の３箇所に送り爪が係合しているので、針に左右均等の送り力を加えて、針を円滑に送ることができる。このため、ステープラ９０は、針が出てこない状態でシート束を綴じる動作（空打ち動作）をすることが少なく、シート束を綴じ損なうようなことが少ない。特に、最後のブロック針１２０の長さが短くなり、針が針ホルダ６２内で横向きになり易くなったり、送り方向に倒れ易くなったりしても、針の横向きや倒れを規制して、針を円滑に送ることができる。なお、送り部材７０は、針に３箇所係合しているが４箇所以上係合していてもよい。但し、この場合においても、針を図５（ａ）に示す向きから見たとき、送り爪は左右対称の位置に針に係合しているのが好ましい。
【００４５】
送り部材７０は、送り出しばね７１によって、針の送り出し方向Ｂに付勢されて、受け止め板６７に受け止められている。送り部材７０の受け止め板６７側には、テーパ部７２が形成されている。テーパ部７２は、下方から上昇してくる板状のドライバ５に押されて発生する分力によって、送り部材７０を送り出しばね７１に抗して、矢印Ｃ方向に押し戻す役目をしている部分である。ドライバ５の厚みＴは、針を１本だけ押し上げる厚みに設定されているため、送り部材７０は、針１本の太さ分だけ、押し戻されるようになっている。すなわち、送り部材７０は、針１本の太さ分だけ、往復移動するようになっている。
【００４６】
針ホルダ６２の案内隙間６８（図５（ｂ））の上部には、末広がり状の針をコ字状に変形させる案内部８１（図３、図９）が設けられている。案内部８１は、針１０１の先端１０１ｃを受け入れる入口８１ａから、この入口８１ａより狭く形成されて針１０１がドライバ５に押されて被綴じ部材側に抜けて出る出口８１ｂにかけて、針１０１を案内する案内面８１ｃを備えている。
【００４７】
案内部８１の上部には、被綴じ部材が載置されるクリンチ台８２が設けられている。
【００４８】
なお、本実施形態のステープラ９０は、針のサイズに合わせて、針供給部６１、ドライバ５、案内部８１、シート押さえリンク１、クリンチャ５６等を交換できるようになっている。
【００４９】
（ステープラの動作）
ステープラ９０の針ホルダ６２には、針が図１（ａ）に示す状態で収納されている。図５（ｂ）において、最下位のブロック針１０２Ａは、針送りローラ６９の反時計方向Ｄの回転によって、受け止め板６７に押し付けられている。また、図３に示すように、シート押さえリンク１、クリンチャ５６は、クリンチ台８２から離れている。さらに、ドライバ５は、最も下降した位置にいる。
【００５０】
このような、図３に示す待機状態のステープラ９０のクリンチ台８２に、被綴じ部材Ｓが置かれて、モータ８が始動されると、カム１１が回転する。
【００５１】
カム１１は、図６に示すように、回転しながら押さえピン２４を押さえカム孔３２に押圧させて、押さえアーム３を、アーム支持軸２６を中心に反時計方向（矢印Ｅ方向）に回転させる。押さえアーム３の回転にともなって、引張ばね１３に牽引されて押さえアーム３に当接している押さえロック板２が、押さえアーム３に追従して移動し、シート押さえリンク１のテーパ部４８を押圧する。すると、シート押さえリンク１がリンク軸４５を中心に反時計方向（矢印Ｋ方向）に回転して、被綴じ部材Ｓをクリンチ台８２に押圧する。
【００５２】
カム１１は、上記回転しながらドライバピン２３でドライバカム孔４２も押圧して、図７に示すように、ドライバアーム４を、アーム支持軸２６を中心に時計方向（矢印Ｆ方向）に回転させ、ドライバ５を上昇させる。図５、図９（ａ）乃至（ｃ）において、ドライバ５は、針１０１を１本だけ案内隙間６８を上昇させる。針１０１は、図９（ａ）乃至（ｃ）に示すように、ドライバ５によって押さえ部１０１ａを押されて上昇しながら、案内隙間６８を通過して案内部８１の入口８１ａに進入する（図９（ａ））。
【００５３】
針１０１は、先端１０１ｃが案内面８１ｃに当接しながらさらに上昇して（図９（ｂ））、末広がり状の形状からコの字状に屈曲変形させられる。そして、針の先端１０１ｃが出口８１ｂから抜け出て、針の貫通部１０１ｂが出口８１ｂを覆っている被綴じ部材Ｓを貫通する（図９（ｃ））。被綴じ部材Ｓは、シート押さえリンク１によってクリンチ台８２に押し付けられているため、針１０１が貫通するとき、浮き上がることがない。ドライバ５は、被綴じ部材Ｓを貫通させた針１０１を、クリンチャ５６とで折り曲げるまでその針の押さえ部１０１ａに当接して、図９（ｃ）に示す状態を保っている。
【００５４】
カム１１は、回転を継続しており、シート押さえリンク１で被綴じ部材Ｓをクリンチ台８２に押圧し、ドライバ５で被綴じ部材に針を貫通させた後も、図８に示すように、押さえアーム３の時計方向（矢印Ｅ方向）への回転を継続させている。押さえアーム３は、図８に示すように、リンクピン３４でクリンチャリンク１０の長孔５４の一端５４ａを押圧して、クリンチャリンク１０を反時計方向（矢印Ｋ方向）へ回転させる。
【００５５】
クリンチャリンク１０の回転にともなって、クリンチャ５６は、図８、図９（ｃ）、（ｄ）に示すように、被綴じ部材Ｓに接近する。そして、クリンチャ５６は、被綴じ部Ｓを貫通している針１０１と被綴じ部材Ｓとをドライバ５とで挟持して（クリンチして）、針１０１の折り曲げ部１０１ｄを折り曲げる。これによって、被綴じ部材Ｓは、針１０１によって、綴じられたことになる。針１０１は、押さえ部１０１ａと折り曲げ部１０１ｄとで、被綴じ部材Ｓの表と裏に接触して被綴じ部材Ｓが分離しないように保持する。なお、被綴じ部材Ｓの厚みが薄いときには、針１０１の貫通部１０１ｂ全体が折り曲げ部１０１ｄとなる場合がある。
【００５６】
カム１１は、さらに回転を継続して、押さえアーム３を時計方向に回転させて初期位置に戻す。押さえアーム３は、初期位置に戻る間に、リンクピン３４でシート押さえリンク１のピン当接部４７を押圧して、シート押さえリンク１を時計方向に回転させて、被綴じ部材Ｓから離れさせる。また、リンクピン３４は、クリンチャリンク１０の長孔５４の他端５４ｂも押圧するので、クリンチャリンク１０も時計方向に回転させられて、クリンチャ５６も被綴じ部材Ｓから離れさせられる。
【００５７】
さらなるカム１１の回転にともなって、ドライバアーム４が、反時計方向に回転して、ドライバ５を針供給部６１（図５）の案内隙間６８から下方に抜き去り、初期位置に戻す。
【００５８】
図５に示す、ドライバ５が案内隙間６８から抜け出ると、針送りローラ６９が矢印Ｄ方向に回転して最下位のブロック針１０２Ａを送り出し方向Ｂに移動させて受け止め板６７に当接させる。これによって、ブロック針は、針１本分だけ移動させられたことになる。
【００５９】
これによって、ステープラ９０は、初期状態に戻ったことになり、次の綴じ動作に備える。
【００６０】
なお、図５において、ドライバ５は、針を１本、打ち出すとき、送り部材７０のテーパ部７２を押圧して上昇する。このとき、送り部材７０は、テーパ部７２をドライバ５に押されて、送り出しばね７１に抗して、受け止め板６７から離れる方向（矢印Ｃ方向）に移動させられる。同時に、送り部材７０の送り爪７０ａ，７０ｂ，７０ｃが、今まで係合していた針と針との間から離れて、受け止め板６７から離れた方向の次の針と針との間に係合する。
【００６１】
その後、送り部材７０は、ドライバ５が下降すると、送り出しばね７１に押されて受け止め板６７に接近移動して受け止められる。このとき、送り部材７０は、送り爪７０ａ，７０ｂ，７０ｃが針と針との間に係合したまま、受け止め板６７に接近移動するため、最下位のブロック針１０２Ａを針１本分だけ受け止め板６７側に移動させて、先端の針を受け止め板６７に当接させることになる。このとき、ローラ６９も回転して、最下位のブロック針１０２Ａを受け止め側に移動させる。
【００６２】
最下位のブロック針１０２Ａの針１０１の本数が少なくなり、ブロック針の長さが受け止め板６７と規制板７３との間の長さよりも短くなると、最下位のブロック針１０２Ａの上に重なっている全部のブロック針１０２が圧縮ばね６４に押されて落下する。今まで、下から２段目のブロック針１０２Ｂが底部６２ａに受け止められて、最下位のブロック針となる。そして、最後のブロック針１０２Ｄが底部６２ａに落下して、本数が少なくなったとき、針送りローラ６９で、ブロック針１０２Ｄを送ることができないので、送り部材７０のみで送ることになる。このようにして、針供給部６１は、重ねて収納している針を効率良く、順次供給することができる。
【００６３】
以上説明したように、ステープラ９０は、針供給部６１（図５）の案内部８１の入口８１ａから出口８１ｂの間に、ステープル針を案内する案内面８１ｃを備えて、予め、末広がり状に折り曲げられたステープル針１０１を使用することができるようになっている。
【００６４】
このため、本発明のステープラは、真っ直ぐな針（スラール針）をコの字状に折り曲げてから被綴じ部材を綴じるステープラよりも、ステープル針が予め折り曲げられている分だけステープル針を打ち込むときの負荷が軽くなり、構造を簡単にすることができる。
【００６５】
また、本発明のステープラは、重ねて収納できる、末広がり状に折り曲げられたステープル針を使用するため、コの字状のステープル針を使用するステープラよりも、ステープル針を多く収納することができて、針の補充回数を少なくすることができる。
【００６６】
さらに、本発明のステープラは、送り部材の送り爪７０ａ、７０ｂが針の１対の先端１０１ｃ（貫通部１０１ｂ）に両側から係合し、送り爪７０ｃが針の押さえ部１０１ａに係合して針を送るようになっている。このため、ステープラは、針を円滑に送ることができて、空打ち動作をすることが少なく、シート束を綴じ損なうことが少ない。
【図面の簡単な説明】
【００６７】
【図１】本発明の実施形態のステープル針を接続してブロック化し、そのブロック化されたステープル針を重ねたときの斜視図である。（ａ）は、ブロック化されたステープル針を重ねたときの全体図である。（ｂ）は、ブロック化されたステープル針を重ねたときの部分拡大図である。
【図２】シート束を綴じるときの、ステープル針の折り曲げ順序を説明するための図である。
【図３】本発明の実施形態におけるステープラの正面断面図であり、待機状態の図である。
【図４】図３のステープラの部品図である。
【図５】図３のステープラに設けられた針供給部の図である。（ａ）は、針を送り出す方向に対して交差する方向の断面図であり、（ｂ）におけるＡ−Ａ矢視断面図である。（ｂ）は針を送り出す方向に沿った断面図である。
【図６】図３のステープラにおける動作説明用の図であり、図３の状態からシート押さえリンクで被綴じ部材をクリンチ台に押さえ付けた図である。
【図７】図３のステープラにおける動作説明用の図であり、図６の状態から被綴じ部材に針を貫通させた図である。
【図８】図３のステープラにおける動作説明用の図であり、図７の状態から被綴じ部材を針で綴じたときの図である。
【図９】図３のステープラにおいて、ステープル針をコ字状に折り曲げる動作説明用の図である。（ａ）針をドライバで上昇させている図である。（ｂ）針を案内部によってコ字状に変形させた図である。（ｃ）針を被綴じ部材に貫通させた図である。（ｄ）針を折り曲げて被綴じ部材を綴じた図である。
【図１０】従来のコ字状の針の図である。
【図１１】従来の真っ直ぐな針の図である。
【符号の説明】
【００６８】
Ｐ      シート束
Ｓ      被綴じ部材
Ｂ      針の送り出し方向
５      ドライバ（打ち出し部）
５６      クリンチャ（クリンチ部）
６１      針供給部
６２      針ホルダ（収納部）
６９      針送りローラ
７０      送り部材
７０ａ，７０ｂ，７０ｃ  送り爪
８１      案内部
８１ａ    入口
８１ｂ    出口
８１ｃ    案内面
８２      クリンチ台
９０      ステープラ
９１      フレーム
１０１      ステープル針
１０１ａ    押さえ部
１０１ｂ    貫通部
１０１ｃ    先端
１０１ｄ    折り曲げ部
１０２      ブロック針
１０２Ａ    最下位のブロック針
１０２Ｂ    最下位のブロック針に重なっているのブロック針
【図１】
2008281115.tif 000003
【図２】
2008281115.tif 000004
【図３】
2008281115.tif 000005
【図４】
2008281115.tif 000006
【図５】
2008281115.tif 000007
【図６】
2008281115.tif 000008
【図７】
2008281115.tif 000009
【図８】
2008281115.tif 000010
【図９】
2008281115.tif 000011
【図１０】
2008281115.tif 000012
【図１１】
2008281115.tif 000013
【手続補正書】
【提出日】平成20年4月24日(2008.4.24)
【手続補正１】
【補正対象書類名】明細書
【補正対象項目名】００３５
【補正方法】変更
【補正の内容】
【００３５】
ステープラ９０のフレーム９１には、略水平な横スリット５１（図３）が形成されている。横スリット５１には、押さえロック板２が摺動自在に設けられている。ステープラ９０のフレーム９１にはピン５２（図３）が突設されている。ピン５２と押さえロック板２とには、引張ばね１３が掛け渡してある。
【手続補正２】
【補正対象書類名】図面
【補正対象項目名】図２
【補正方法】変更
【補正の内容】
【図２】
2008281115.tif 000014
【手続補正３】
【補正対象書類名】図面
【補正対象項目名】図４
【補正方法】変更
【補正の内容】
【図４】
2008281115.tif 000015